(57)【要約】【課題】  温熱装置が埋設されたマットレスの中に遠赤外線放射物質を多様な形態で配設することによって、使用者が睡眠中に遠赤外線を最適に吸収することができるマットレスを提供する。【解決手段】  電源部４００と;前記電源部４００から電力の供給を受けて発熱する温熱板１０と、前記温熱板１０上に設けられ、粉末または固体状の種々遠赤外線放射物質が多様な形態で配設される遠赤外線放射材箱２０と、前記遠赤外線放射材箱２０上に設けられる仕上げ部材層４０と、からなる積層構成部１００と;前記温熱板１０、前記遠赤外線放射材箱２０及び前記仕上げ部材層４０を一体に固定することによって、前記積層構成部１００を保持する固定部２００と;を含み、前記固定部２００によって一体に固定された前記積層構成部１００は、温度調節部３１０が設けられたマットレス本体３００の凹部３０１に配置される。【選択図】図２
2004321811.tif 000002
【特許請求の範囲】
【請求項１】
電源部と;
前記電源部から電力の供給を受けて発熱する温熱板と、前記温熱板上に設けられ、粉末または固体状の種々の遠赤外線放射物質が多様な形態で配設される遠赤外線放射材箱と、前記遠赤外線放射材箱上に設けられる仕上げ部材層と、からなる積層構成部と;
前記温熱板、前記遠赤外線放射材箱及び前記仕上げ部材層を一体に固定することによって、前記積層構成部を保持する固定部と;を含み、
前記固定部によって一体に固定された前記積層構成部は、温度調節部が設けられたマットレス本体の凹部に配置されることを特徴とするマットレス。
【請求項２】
前記遠赤外線放射物質は、炭、玉、黄土、麦飯石及び石英からなる群から選択された複数の物質であることを特徴とする請求項１に記載のマットレス。
【請求項３】
前記遠赤外線放射材箱は、箱体であり、その内部に種々の遠赤外線放射物質が不規則に配設されることを特徴とする請求項１または２に記載のマットレス。
【請求項４】
前記遠赤外線放射材箱は、箱体であり、その内部に種々の遠赤外線放射物質が複数の列にそれぞれ配設されることを特徴とする請求項１または２に記載のマットレス。
【請求項５】
前記遠赤外線放射材箱は、箱体であり、その内部に複数の区画を形成するように複数の横仕切り及び縦仕切りが配設され、これらの区画には種々の遠赤外線放射物質が充填されることを特徴とする請求項１または２に記載のマットレス。
【請求項６】
固体状の前記遠赤外線物質は、原石からなることを特徴とする請求項１に記載のマットレス。
【請求項７】
前記積層構成部は、前記遠赤外線放射材箱と前記仕上げ部材層との間に電磁波遮断兼用クッション部材をさらに含むことを特徴とする請求項１に記載のマットレス。
【請求項８】
電源部と;
前記電源部から電力の供給を受けて発熱する温熱板と、前記温熱板上に設けられ、固体状の種々の遠赤外線放射物質が多様な形態で配設される固定パネルと、前記固定パネル上に設けられる仕上げ部材層とからなる積層構成部と;
前記温熱板、前記固定パネル及び前記仕上げ部材層を一体に固定することによって、前記積層構成部を保持する固定部と;を含み、
前記固定部によって一体に固定された前記積層構成部は、温度調節部が設けられたマットレス本体の凹部に配置されることを特徴とするマットレス。
【請求項９】
前記遠赤外線放射物質は、炭、玉、黄土、麦飯石及び石英からなる群から選択された複数の物質であることを特徴とする請求項８に記載のマットレス。
【請求項１０】
前記固定パネル上に配設される固体状の前記遠赤外線放射物質は、接着手段によって前記固定パネル上に一体に固定されることを特徴とする請求項８に記載のマットレス。
【請求項１１】
前記積層構成部は、前記固定パネルと前記仕上げ部材層との間に電磁波遮断兼用クッション部材をさらに含むことを特徴とする請求項８に記載のマットレス。
【発明の詳細な説明】
【技術分野】
【０００１】
本発明は、クッションとして使用されるマットレスに関し、より詳細には、温熱装置が埋設されたマットレスにおいて、これらのマットレスを構成する積層構成部の中に種々の遠赤外線放射物質を多様な形態で配設することによって、使用者が睡眠をとる間に遠赤外線の吸収効果を最大に得ることができるマットレスの構造に関する。
【背景技術】
【０００２】
近年、快適な睡眠をとるための単純な寝具としての機能を提供するだけでなく、睡眠中にも健康増進の効果を提供する健康器具としてのマットレスが開発されている。
【０００３】
詳細には、磁石を内蔵して、磁石の磁場による健康増進の効果を提供する磁気マットレスが提案され、使用されている。さらに、玉、炭、麦飯石、黄土などから放射される遠赤外線によって血液循環を活性化させて新陳代謝を円滑にする遠赤外線マットレスが提案されている。
【発明の開示】
【発明が解決しようとする課題】
【０００４】
しかし、従来の磁気又は遠赤外線マットレスは、その大部分が磁石や玉、麦飯石、黄土などが設けられた面を上にした状態でのみ使用される。
【０００５】
また、磁石による効果や玉、麦飯石、黄土などによる遠赤外線放射の効果を得ようとすれば、これらのものが装着されているマットレスをそれぞれ別途に購入しなければならないという問題がある。
【０００６】
本発明は、従来のマットレスにおける上記の問題点を解決するためになされたものであり、温熱装置が埋め込められたマットレスにおいて、このマットレスを構成する積層構成部の中に種々の遠赤外線放射物質を多様な形態で配設することによって、使用者が睡眠をとる間に遠赤外線吸収効果を最大に得ることができるマットレスを提供することを目的とする。
【０００７】
本発明の他の目的は、重量と製造コストを低減するとともに、従来の製品より優れた効果を得ることができる、温熱装置が埋め込まれたマットレスを提供することにある。
【０００８】
また、本発明の他の目的は、作業効率を高め、かつ、製造時間を短縮する簡便な製造工程で製造された、温熱装置が埋め込まれたマットレスを提供することにある。
【課題を解決するための手段】
【０００９】
上記の目的を達成するため、本発明のマットレスは、電源部と;前記電源部から電力の供給を受けて発熱する温熱板と、前記温熱板上に設けられ、粉末または固体状の種々の遠赤外線放射物質が多様な形態で配設される遠赤外線放射材箱と、前記遠赤外線放射材箱上に設けられる仕上げ部材層と、からなる積層構成部と;前記温熱板、前記遠赤外線放射材箱及び前記仕上げ部材層を一体に固定することによって、前記積層構成部を保持する固定部と;を含み、前記固定部によって一体に固定された前記積層構成部は、温度調節部が設けられたマットレス本体の凹部に配置されることを特徴とする。
【００１０】
また、本発明において、前記遠赤外線放射物質は、炭、玉、黄土、麦飯石及び石英からなる群から選択された複数の物質であることを特徴とする。
【００１１】
また、本発明において、前記遠赤外線放射材箱は、箱体であり、その内部に種々の遠赤外線放射物質が不規則に配設されることを特徴とする。
【００１２】
また、本発明において、前記遠赤外線放射材箱は、箱体であり、その内部に種々の遠赤外線放射物質が複数の列にそれぞれ配設されることを特徴とする。
【００１３】
また、本発明において、前記遠赤外線放射材箱は、箱体であり、その内部に複数の区画を形成するように複数の横仕切り及び縦仕切りが配設され、これらの区画には種々の遠赤外線放射物質が充填されることを特徴とする。
【００１４】
また、本発明において、固体状の前記遠赤外線物質は、原石からなることを特徴とする。
【００１５】
また、本発明において、前記積層構成部は、前記遠赤外線放射材箱と前記仕上げ部材層との間に電磁波遮断兼用クッション部材をさらに含むことを特徴とする。
【００１６】
さらに、上記の目的を達成するため、本発明のマットレスは、電源部と;前記電源部から電力の供給を受けて発熱する温熱板と、前記温熱板上に設けられ、固体状の種々の遠赤外線放射物質が多様な形態で配設される固定パネルと、前記固定パネル上に設けられる仕上げ部材層とからなる積層構成部と;前記温熱板、前記固定パネル及び前記仕上げ部材層を一体に固定することによって、前記積層構成部を保持する固定部と;を含み、前記固定部によって一体に固定された前記積層構成部は、温度調節部が設けられたマットレス本体の凹部に配置されることを特徴とする。
【００１７】
また、本発明において、前記遠赤外線放射物質は、炭、玉、黄土、麦飯石及び石英からなる群から選択された複数の物質であることを特徴とする。
【００１８】
また、本発明において、前記固定パネル上に配設される固体状の前記遠赤外線放射物質は、接着手段によって前記固定パネル上に一体に固定されることを特徴とする。
【００１９】
また、本発明において、前記積層構成部は、前記固定パネルと前記仕上げ部材層との間に電磁波遮断兼用クッション部材をさらに含むことを特徴とする。
【発明の効果】
【００２０】
本発明のマットレスは、積層構成部の遠赤外線放射材箱内または固定パネル上に、種々の遠赤外線放射物質を規則的に、または不規則に配設する。その結果、本発明のマットレスは、使用者に最適な遠赤外線を供給することができる。また、本発明のマットレスは、製造が容易である。
【発明を実施するための最良の形態】
【００２１】
以下、添付図面を参照して本発明の具体的な実施形態について詳細に説明する。
【００２２】
図１は本発明の第１の実施形態に係るマットレスの斜視図であり、図２は本発明の第１の実施形態に係るマットレスの一部を切り欠いて示す分解斜視図であり、図３は本発明の第１の実施形態に係るマットレスに設けられた遠赤外線放射材箱の断面図である。また、図４ａないし図５ｄは、それぞれ、本発明の第１の実施形態に係るマットレスに多様な形態で設けられた遠赤外線放射材箱の平面図である。
【００２３】
第１の実施形態に係るマットレス１は、図１及び図２に示すように、電源部４００と、積層構成部１００と、この積層構成部１００の構成要素を一体に固定するための固定部２００とを含んでおり、この固定部２００によって一体に固定された積層構成部１００は温度調節部３１０が設けられたマットレス本体３００の凹部３０１に配置される。
【００２４】
ここで、積層構成部１００は電源部４００から電力の供給を受けて発熱する温熱板１０と、この温熱板１０上に粉末または固体状の種々の遠赤外線放射物質が多様な形態で配設される遠赤外線放射材箱２０と、この遠赤外線放射材箱２０上に設けられる電磁波遮断兼用クッション部材３０と、この電磁波遮断兼用クッション部材３０上に設けられる仕上げ部材層４０とを含んで構成される。
【００２５】
遠赤外線放射材箱２０は、図４ａに示すように、長方形をなす箱体２１である。
【００２６】
また、遠赤外線放射材箱２０には、炭ａ、玉（軟玉又は硬玉。白玉、翡翠、黄玉等を含む）ｂ、黄土ｃ、麦飯石ｄ及び紫水晶のような石英（図示省略）などの遠赤外線放射物質の原石が、図４ｂに示すようにそれぞれ一列ずつ配設される。または、炭ａ、玉ｂ、黄土ｃ、麦飯石ｄ及び紫水晶のような石英などの遠赤外線放射物質の原石が、図４ｃに示すように、遠赤外線放射材箱２０に交互に格子状に配設される。
【００２７】
ここで、遠赤外線放射材箱２０に挿入される遠赤外線物質は、上で列挙した炭、玉、黄土、麦飯石及び紫水晶のような石英を全て含むこともでき、必要によってはこれらの中から二つ以上の物質を選択して構成できることはいうまでもない。
【００２８】
また、遠赤外線放射材箱２０には、図３、または図５ａないし図５ｄに示すように、箱体２１の内側に複数の横仕切り２２及び／又は縦仕切り２３が配設されて、複数の区画が形成されてもよい。
【００２９】
遠赤外線放射材箱２０に挿入される炭（特に、オーク材の炭）ａは、ストレス性の疲労が累積して不眠症に苦しむ会社員や受験生、神経系統が弱い人などに安らかな睡眠を提供し、人体から発生する汗と熱を吸収して陰イオンを放出することにより、健康的な睡眠を誘導する効果がある。この時、炭ａの含量は、例えば玉の原石ｂ、黄土ｃに対して１：１：１の割合で使用してもよいし、遠赤外線物質の全体に対して３０％〜４０％の重量比で構成しても良い。
【００３０】
本発明の第一の実施形態では、横仕切り２２及び縦仕切り２３は、図５ａ及び図５ｂに示すように、規則的な区画を形成するように配設してもよいし、図５ｃ及び図５ｄに示すように、不規則な区画を形成するように配設してもよい。
【００３１】
さらに、図５ｂに示すように、箱体２１内に配設される横仕切り２２または縦仕切り２３のうち一方のみを等間隔に配設してもよい。
【００３２】
さらに、仕上げ部材層４０は石、水晶、コルク、玉、黄土、セラミックなどのシートで構成することができる。また、電磁波遮断兼用クッション部材３０は銀を含有することによって、黄色葡萄状球菌、肺炎菌、緑膿菌、大腸菌などはもちろん、耐性が強い病原菌のＭＲＳＡ（Methicillin Resistant Staphylococcus Aureus）までも９９．９％殺菌でき、かつ衛生的であり、悪臭を予防できる。
【００３３】
さらに、銀を含有した電磁波遮断兼用クッション部材３０は、人体に有益な遠赤外線を放射し、これによって人体内の水分子運動を促進させ、血液循環と新陳代謝を活発にさせるなどの効果を期待することができる。
【００３４】
温熱板１０に電力を供給する電源部４００は、温熱板１０をマットレス３００に設けられた温度調節部３１０に直接接続して形成してもよい。または、図２に示すように、温熱板１０に第１コネクタ４０１を設けると共に、マットレス本体３００の凹部３０１の内側には第２コネクタ４０２を設けて、第１コネクタ４０１及び第２コネクタ４０２を相互に接続して形成してもよい。
【００３５】
この場合、第２コネクタ４０２は温度調節部３１０に接続され、この温度調節部３１０はプラグ（図示省略）に接続される。
【００３６】
上記の本発明の第１の実施形態の構造を有するマットレス１を製造するために、マットレス本体３００の凹部３０１に積層構成部１００を配置する前に、固定部２００によって一体に固定された積層構成部１００が製造される。すなわち、最初に、外部電源から電源部４００を介して供給される電力によって発熱する温熱板１０が配置される。その後、温熱板１０の上に、粉末状又は固体状の種々の遠赤外線放射物質が多様な形態で配設された遠赤外線放射材箱２０が配置される。その後、遠赤外線放射材箱２０の上に、電磁波遮断兼用クッション部材３０が配置される。その後、電磁波遮断兼用クッション部材３０の上に、仕上げ部材層４０が配置されて、積層構成部１００が構成される。積層構成部１００の構成要素が上記のように順に積層された後、これらの構成要素は、略コ字状の枠部材である固定部２００によって一体に固定される。その後、固定部２００によって一体に固定された積層構成部１００は、図２に示すように、温度調節部３１０が設けられたマットレス本体３００の凹部３０１に配置され、目的の温熱マットレスが形成される。
【００３７】
この時、温熱板１０に形成された第１コネクタ４０１とマットレス本体３００の凹部３０１の内側に形成された第２コネクタ４０２とが結合することによって、外部の電源から温熱板１０に電力を供給することができる。
【００３８】
図６は本発明の第２の実施形態に係るマットレスの一部を切り欠いて示す分解斜視図であり、図７は本発明の第２の実施形態に係るマットレスの固定パネル上に設けられた固体状の種々の遠赤外線放射物質の断面図である。
【００３９】
本発明の第２の実施形態において、マットレスの全体形状は第１の実施形態と同一である。したがって、第１の実施形態と同様の構成要素には同一符号及び同一名称を使用し、それらについての説明は省略する。
【００４０】
図６及び図７に示すように、本発明の第２の実施形態においても、マットレス１は電源部４００と、積層構成部１００と、この積層構成部１００を一体に固定するための固定部２００とを含んでおり、この固定部２００により一体に固定された積層構成部１００は温度調節部３１０が設けられたマットレス本体３００の凹部３０１に配置される。
【００４１】
積層構成部１００は、電源部４００から電源の供給を受けて発熱する温熱板１０と、この温熱板１０上に配置され、固体状の種々の遠赤外線放射物質が多様な形態で配設される固定パネル５０と、この固定パネル５０上に設けられる電磁波遮断兼用クッション部材３０と、この電磁波遮断兼用クッション部材３０上に設けられる仕上げ部材層４０とを含んで構成される。
【００４２】
第２の実施形態において、固体状の種々の遠赤外線放射物質は、一体に固定されることなく、固定パネル５０上に多様な形態で直接配設されてもよい。または、図７の拡大図に示すように、固定パネル５０上に多様な形態で配設される固体状の遠赤外線放射物質は、接着手段５１によって一体に固定されてもよい。
【００４３】
以上のように、本発明に係るマットレスは、積層構成部の遠赤外線放射材箱内または固定パネル上に、種々の遠赤外線放射物質を規則的に、または不規則に配設する。その結果、本発明のマットレスは、使用者に最適な遠赤外線を供給することができる。また、本発明のマットレスは、製造が容易である。
【００４４】
前述の本発明は、図面を併用して例示した実施形態に基づいて説明したが、本発明はこれらに限定されるものではなく、当業者においては本発明の技術的思想を逸脱しない範囲内で多様な変化と変更が可能であることはもちろん、均等な他の変形例も実施可能であることが明白であろう。
【図面の簡単な説明】
【００４５】
【図１】本発明の第１の実施形態に係るマットレスの斜視図である。
【図２】本発明の第１の実施形態に係るマットレスを一部切欠して示す分解斜視図である。
【図３】本発明の第１の実施形態に係るマットレスに設けられた遠赤外線放射材箱の断面図である。
【図４ａ】本発明の第１の実施形態に係るマットレスに多様な形態で設けられた遠赤外線放射材箱の平面図である。
【図４ｂ】本発明の第１の実施形態に係るマットレスに多様な形態で設けられた遠赤外線放射材箱の平面図である。
【図４ｃ】本発明の第１の実施形態に係るマットレスに多様な形態で設けられた遠赤外線放射材箱の平面図である。
【図５ａ】本発明の第１の実施形態に係るマットレスに多様な形態で設けられた遠赤外線放射材箱の平面図である。
【図５ｂ】本発明の第１の実施形態に係るマットレスに多様な形態で設けられた遠赤外線放射材箱の平面図である。
【図５ｃ】本発明の第１の実施形態に係るマットレスに多様な形態で設けられた遠赤外線放射材箱の平面図である。
【図５ｄ】本発明の第１の実施形態に係るマットレスに多様な形態で設けられた遠赤外線放射材箱の平面図である。
【図６】本発明の第２の実施形態に係るマットレスを一部切欠して示す分解斜視図である。
【図７】本発明の第２の実施形態に係るマットレスの固定パネル上に設けられた固体状の種々の遠赤外線放射物質の断面図である。
【符号の説明】
【００４６】
１  マットレス
１０  温熱板
２０  遠赤外線放射材箱
２１  箱体
２２  横仕切り
２３  縦仕切り
３０  電磁波遮断兼用クッション部材
４０  仕上げ部材層
５０  固定パネル
１００  積層構成部
２００  固定部
３００  マットレス本体
３０１  凹部
３１０  温度調節部
４００  電源部
４０１、４０２  コネクタ
【図１】
2004321811.tif 000003
【図２】
2004321811.tif 000004
【図３】
2004321811.tif 000005
【図４ａ】
2004321811.tif 000006
【図４ｂ】
2004321811.tif 000007
【図４ｃ】
2004321811.tif 000008
【図５ａ】
2004321811.tif 000009
【図５ｂ】
2004321811.tif 000010
【図５ｃ】
2004321811.tif 000011
【図５ｄ】
2004321811.tif 000012
【図６】
2004321811.tif 000013
【図７】
2004321811.tif 000014
【外国語明細書】
TITLE OF INVENTION      Mattress
TECHNICAL FIELD
The present invention relates, in general, to a mattress used as a cushion and, more particularly, to a structure of a mattress having a thermal device, in which a variety of far-infrared radiation materials are arrayed in a laminated unit of the mattress to define various patterns, thus allowing a user to optimally absorb the far-infrared radiation while resting.
BACKGROUND ART
Recently, some mattresses have been developed and proposed as health equipment to provide an effect to promote the health of users while lying thereon, as well as provide a typical function thereof to serve as comfortable mattresses which support the users while resting.
In a detailed description, a magnetic mattress, with a plurality of magnets arranged in the mattress to provide an effect of promoting health of users by magnetic fields generated by the magnets, has been proposed and used.  Furthermore, a far-infrared mattress provided therein with far-infrared radiation materials, such as jade, charcoal, elvan, loess and the like, to promote blood circulation and the metabolism in user's body by the far-infrared radiation of the materials have been proposed.
Disclosure of Invention
DISCLOSURE
TECHNICAL PROBLEM
However, conventional magnetic or far-infrared mattresses are problematic in that the mattresses must be used only in a state of being placed such that a surface with the magnets or the jade, charcoal, elvan, loess and the like is directed upward to support the user's body thereon.
Furthermore, the conventional mattresses force a user, who wants to take the magnetic effect of magnets and the far-infrared radiation effect of jade, charcoal, elvan, loess and the like, to purchase a magnetic mattress and a far-infrared mattress, separately.
TECHNICAL SOLUTION AND ADVANTAGEOUS EFFECTS
Accordingly, the present invention has been made keeping in mind the above problems occurring in the prior art, and an object of the present invention is to provide a mattress having a thermal device, in which a variety of far-infrared radiation materials are arrayed in a laminated unit of the mattress to define various patterns, thus allowing a user to optimally absorb the far-infrared radiation while resting.
Another object of the present invention is to provide a mattress having a thermal device, which is reduced by weight and production costs thereof, while providing better effects on user's body in comparison with conventional mattresses.
A further object of the present invention is to provide a mattress having a thermal device, which is produced through a simple process to enhance work efficiency and reduce time consumption while producing the mattress.
advantageous-effects
In order to achieve the above objects, the present invention provides a mattress, comprising: an electric power supply unit; a laminated unit comprising a thermal plate to generate heat by electricity supplied from the electric power supply unit, a far-infrared unit housing placed on the thermal plate with a variety of far-infrared radiation materials of a powdered-phase or a solid-phase arrayed in the far-infrared unit housing to form various patterns, and a finishing material sheet placed on the far-infrared unit housing; and a support unit to support the laminated unit while integrating the thermal plate, the far-infrared unit housing and the finishing material sheet into a single body; wherein the laminated unit integrated by the support unit is seated into a seating depression of a mattress body having a temperature control unit.
In the present invention, the far-infrared radiation materials may comprise two or more materials selected from the group consisting of charcoal, jade, loess, elvan and quartz.
In the present invention, the far-infrared unit housing may comprise a box-shaped body, with the variety of far-infrared radiation materials irregularly arrayed in the box-shaped body.
In the present invention, the far-infrared unit housing may comprise a box-shaped body, with the variety of far-infrared radiation materials arrayed in the box-shaped body to respectively define a plurality of lanes in the box-shaped body.
In the present invention, the far-infrared unit housing may comprise a box-shaped body, with a plurality of latitudinal and longitudinal partitions arrayed in the box-shaped body to define a plurality of cells which respectively contain the variety of far-infrared radiation materials therein.
In the present invention, the far-infrared radiation materials of the solid-phase may comprise raw stones.
The mattress of the present invention may further comprise a cushion sheet combined with a function of shielding electromagnetic waves, and interposed between the far-infrared unit housing and the finishing material sheet.
In order to achieve the above objects, the present invention also provides a mattress, comprising: an electric power supply unit; a laminated unit comprising a thermal plate to generate heat by electricity supplied from the electric power supply unit, a fixing panel placed on the thermal plate with a variety of far-infrared radiation materials of a solid-phase arrayed on the fixing panel to form various patterns, and a finishing material sheet placed on the fixing panel; and a support unit to support the laminated unit while integrating the thermal plate, the fixing panel with the far-infrared radiation materials, and the finishing material sheet into a single body; wherein the laminated unit integrated by the support unit is seated into a seating depression of a mattress body having a temperature control unit.
In the present invention, the far-infrared radiation materials of the solid-phase arrayed on the fixing panel may be integrated into a single body by an adhesive means.
The mattress may further comprise a cushion sheet combined with a function of shielding electromagnetic waves, and interposed between the fixing panel and the finishing material sheet.
BEST MODE FOR CARRYING OUT THE INVENTION
The above and other objects, features and other advantages of the present invention will be more clearly understood from the following detailed description when taken in conjunction with the accompanying drawings.
Reference will now be made in greater detail to a preferred embodiment of the invention, an example of which is illustrated in the accompanying drawings.  Wherever possible, the same reference numerals will be used throughout the drawings and the description to refer to the same or like parts.
FIG. 1 is a perspective view of a mattress according to a first embodiment of the present invention.  FIG. 2 is a partially-broken perspective view of the mattress according to the first embodiment of the present invention.  FIG. 3 is a sectional view illustrating a far-infrared unit housing installed in the mattress according to the first embodiment of the present invention.  FIGS. 4a through 5d are plan views respectively illustrating a plurality of far-infrared unit housings of various patterns installed in the mattress, according to different modifications of the first embodiment of the present invention.
As shown in FIGS. 1 and 2, the mattress 1 according to the first embodiment of the present invention comprises an electric power supply unit 400, a laminated unit 100, and a support unit 200 to support the laminated unit 100 while integrating the elements of the laminated unit 100 into a single body, and the laminated unit 100 integrated by the support unit 200 is seated into a seating depression 301 of a mattress body 300 having a temperature control unit 310.
The laminated unit 100 comprises a thermal plate 10 to generate heat by electricity supplied from the electric power supply unit 400, and a far-infrared unit housing 20 placed on the thermal plate 10, with a variety of far-infrared radiation materials of a powdered-phase or a solid-phase arrayed in the far-infrared unit housing 20 to form various patterns.  The laminated unit 100 further comprises a cushion sheet 30 combined with a function of shielding electromagnetic waves, and placed on the far-infrared unit housing 20.  The laminated unit 100 further comprises a finishing material sheet 40 placed on the cushion sheet 30.
The far-infrared unit housing 20 comprises a box-shaped body 21 having a rectangular shape as shown in FIG. 4a.
In the first embodiment of the present invention, the raw stones of a variety of far-infrared radiation materials which include charcoal (a), jade (b), loess (c), elvan (d) and quartz (not shown) such as amethyst, may be arrayed in the far-infrared unit housing 20 to respectively define a plurality of lanes in the housing 20, as shown in FIG. 4b.  Alternatively, the variety of far-infrared radiation materials which include the charcoal (a), jade (b), loess (c), elvan (d) and quartz (not shown) such as amethyst, may be alternately arrayed in the far-infrared unit housing 20 to form checks, as shown in FIG. 4c.
In the present invention, the variety of far-infrared radiation materials contained in the far-infrared unit housing 20 may comprise all the above-mentioned charcoal, jade, loess, elvan and quartz such as amethyst, or comprise two or more materials selected from the group consisting of the above-mentioned materials.
Furthermore, the far-infrared unit housing 20 may comprise a plurality of latitudinal partitions 22 and/or a plurality of longitudinal partitions 23 arrayed in the box-shaped body 21 to define a plurality of cells in the box-shaped body 21, as shown in FIGS. 3, 5a through 5d.
The charcoal, contained in the far-infrared unit housing 20, particularly, charcoal made of oak wood, allows persons suffering insomnia caused by accumulated stress fatigue, for example, businessmen or students, or persons with neurological disorder, to rest or sleep comfortably.  Furthermore, the charcoal absorbs sweat and heat generated from the body of a user, and discharges anions to allow the user to take healthful rest and sleep.  Thus, in the present invention, the charcoal may be preferably used with both raw stones of jade (b) and loess (c) in the far-infrared unit housing 20 at an amount ratio of 1:1:1.  It is also preferable that the charcoal is contained in the far-infrared radiation materials in an amount of 30% to 40% by weight based on the total weight of the far-infrared radiation materials.
In the first embodiment of the present invention, the plurality of latitudinal and longitudinal partitions 22 and 23 may be arrayed in the box-shaped body 21 to define regular cells in the body 21, as shown in FIGS. 5a and 5b.  Alternatively, the plurality of latitudinal and longitudinal partitions 22 and 23 may be arrayed in the box-shaped body 21 to define irregular cells in the body 21, as shown in FIGS. 5c and 5d.
Furthermore, either the latitudinal partitions 22 or the longitudinal partitions 23 may be exclusively arrayed in the box-shaped body 21 at regular intervals, as shown in FIG. 5b.
Furthermore, the finishing material sheet 40 may comprise a rock sheet, a quartz sheet, a cork sheet, a jade sheet, a loess sheet, a ceramic sheet, etc.  The cushion sheet 30 combined with the function of shielding the electromagnetic waves include silver, thus effectively killing MRSA (Methicillin Resistant Staphylococcus Aureus) which is a pathogen having high tolerance, upto 99.9%, as well as killing Staphylococcus, Pneumococcus, Pseudomonas, Coliform bacilli, etc.  Furthermore, the above-mentioned cushion sheet 30 including the silver provides a hygienic effect and removes odor.
Furthermore, the cushion sheet 30 including the silver radiates far-infrared rays, which are beneficial for the health of the users.  That is, the far-infrared rays promote water molecular vibrations in the user's body, thus promoting blood circulation and the metabolism of the user's body.
The electric power supply unit 400 that supplies electricity to the thermal plate 10 may be fabricated by directly connecting the thermal plate 10 to the temperature control unit 310 of the mattress body 300 via an electric wire.  Alternatively, the electric power supply unit 400 may be fabricated by providing both a first connector 401 on the thermal plate 10 and a second connector 402 in the seating depression 301 of the mattress body 300 as shown in FIG. 2, so that the first and second connectors 401 and 402 are connected to each other.
In the above case, the second connector 402 is connected to the temperature control unit 310 of the mattress body 300, while the temperature control unit 310 is connected to a plug (not shown).
To produce the mattress 1 having the above-mentioned construction according to the first embodiment of the present invention, the laminated unit 100 integrated by the support unit 200 is produced, prior to being seated into the seating depression 301 of the mattress body 300.  That is, the thermal plate 10 used as a thermal device to generate heat by electricity supplied from an external electric power source through the electric power supply unit 400 is first placed.  Thereafter, the far-infrared unit housing 20, with the variety of far-infrared radiation materials of the powdered-phase or the solid-phase arrayed in the far-infrared unit housing 20 to form various patterns, is placed on the thermal plate 10.  Thereafter, the cushion sheet 30 combined with the function of shielding the electromagnetic waves is placed on the far-infrared unit housing 20.  The finishing material sheet 40 is, thereafter, placed on the cushion sheet 30, thus providing the laminated unit 100.  After sequentially layering the elements of the laminated unit 100 as described above, the elements of the laminated unit 100 are integrated into a single body by the support unit 200 which is a framework having a U-shaped cross-section.  The laminated unit 100 integrated by the support unit 200 is, thereafter, seated into the seating depression 301 of the mattress body 300 having the temperature control unit 310 as shown in FIG. 2, thus providing a desired mattress having a thermal device.
In the above state, the first connector 401 provided on the thermal plate 10 is connected to the second connector 402 provided in the seating depression 301 of the mattress body 300.  Thus, the thermal plate 10 can be turned on by electricity supplied from an external electric power source through the first and second connectors 401 and 402.
FIG. 6 is a partially-broken perspective view of a mattress according to a second embodiment of the present invention.  FIG. 7 is a sectional view illustrating a variety of far-infrared radiation materials of a solid-phase arrayed on a fixing panel of the mattress according to the second embodiment of the present invention.
In the second embodiment of the present invention, the general shape of the mattress remains the same as that of the first embodiment, and thus, those elements similar to the first and second embodiments carry the same reference numerals and further explanation is not deemed necessary.
As shown in FIGS. 6 and 7, the mattress 1 according to the second embodiment of the present invention also comprises an electric power supply unit 400, a laminated unit 100, and a support unit 200 to support the laminated unit 100 while integrating the elements of the laminated unit 100 into a single body, and the laminated unit 100 integrated by the support unit 200 is seated into a seating depression 301 of a mattress body 300 having a temperature control unit 310.
The laminated unit 100 comprises a thermal plate 10 to generate heat by electricity supplied from the electric power supply unit 400, and a fixing panel 50 placed on the thermal plate 10, with a variety of far-infrared radiation materials of a solid-phase arrayed on the fixing panel 50 to form various patterns.  The laminated unit 20 further comprises a cushion sheet 30 combined with a function of shielding electromagnetic waves, and placed on the fixing panel 50.  The laminated unit 20 further comprises a finishing material sheet 40 placed on the cushion sheet 30.
In the second embodiment, the variety of far-infrared radiation materials of the solid-phase may be directly arrayed on the fixing panel 50 to form the various patterns without being integrated.  Alternatively, the far-infrared radiation materials of the solid-phase arrayed on the fixing panel 50 to form the various patterns may be integrated into a single body by an adhesive means 51 as shown in FIG. 7.
As apparent from the above description, the present invention provides a mattress having a thermal device, in which a variety of far-infrared radiation materials are arrayed in a far-infrared unit housing or on a fixing panel of a laminated unit of the mattress to form a regular or irregular pattern.  Thus, the mattress is advantageous in that a user optimally absorbs the far-infrared radiation from the mattress.  Another advantage of the mattress according to the present invention resides in that the mattress is easily produced.
Although a preferred embodiment of the present invention has been described for illustrative purposes, those skilled in the art will appreciate that various modifications, additions and substitutions are possible, without departing from the scope and spirit of the invention as disclosed in the accompanying claims.
BRIEF DESCRIPTION OF THE DRAWINGS
FIG. 1 is a perspective view of a mattress according to a first embodiment of the present invention;
FIG. 2 is a partially-broken perspective view of the mattress according to the first embodiment of the present invention;
FIG. 3 is a sectional view illustrating a far-infrared unit housing installed in the mattress according to the first embodiment of the present invention;
FIGS. 4a through 5d are plan views respectively illustrating a plurality of far-infrared unit housings of various patterns installed in the mattress, according to different modifications of the first embodiment of the present invention;
FIG. 6 is a partially-broken perspective view of a mattress according to a second embodiment of the present invention; and
FIG. 7 is a sectional view illustrating a variety of far-infrared radiation materials of a solid-phase arrayed on a fixing panel of the mattress according to the second embodiment of the present invention.
1. A mattress, comprising:
an electric power supply unit;
a laminated unit comprising:
a thermal plate to generate heat by electricity supplied from the electric power supply unit;
a far-infrared unit housing placed on the thermal plate, with a variety of far-infrared radiation materials of a powdered-phase or a solid-phase arrayed in the far-infrared unit housing to form various patterns; and
a finishing material sheet placed on the far-infrared unit housing; and
a support unit to support the laminated unit while integrating the thermal plate, the far-infrared unit housing and the finishing material sheet into a single body;
wherein the laminated unit integrated by the support unit is seated into a seating depression of a mattress body having a temperature control unit.
2. The mattress according to claim 1, wherein the far-infrared radiation materials comprise two or more materials selected from the group consisting of charcoal, jade, loess, elvan and quartz.
3. The mattress according to claim 1 or 2, wherein the far-infrared unit housing comprises a box-shaped body, with the variety of far-infrared radiation materials irregularly arrayed in the box-shaped body.
4. The mattress according to claim 1 or 2, wherein the far-infrared unit housing comprises a box-shaped body, with the variety of far-infrared radiation materials arrayed in the box-shaped body to respectively define a plurality of lanes in the box-shaped body.
5. The mattress according to claim 1 or 2, wherein the far-infrared unit housing comprises a box-shaped body, with a plurality of latitudinal and longitudinal partitions arrayed in the box-shaped body to define a plurality of cells which respectively contain the variety of far-infrared radiation materials therein.
6. The mattress according to claim 1, wherein the far-infrared radiation materials of the solid-phase comprise raw stones.
7. The mattress according to claim 1, further comprising a cushion sheet combined with a function of shielding electromagnetic waves, and interposed between the far-infrared unit housing and the finishing material sheet.
8. A mattress, comprising:
an electric power supply unit;
a laminated unit comprising:
a thermal plate to generate heat by electricity supplied from the electric power supply unit;
a fixing panel placed on the thermal plate, with a variety of far-infrared radiation materials of a solid-phase arrayed on the fixing panel to form various patterns; and
a finishing material sheet placed on the fixing panel; and
a support unit to support the laminated unit while integrating the thermal plate, the fixing panel with the far-infrared radiation materials, and the finishing material sheet into a single body;
wherein the laminated unit integrated by the support unit is seated into a seating depression of a mattress body having a temperature control unit.
9. The mattress according to claim 8, wherein the far-infrared radiation materials comprise two or more materials selected from the group consisting of charcoal, jade, loess, elvan and quartz.
10. The mattress according to claim 8, wherein the far-infrared radiation materials of the solid-phase arrayed on the fixing panel are integrated into a single body by adhesive means.
11. The mattress according to claim 8, further comprising a cushion sheet combined with a function of shielding electromagnetic waves, and interposed between the fixing panel and the finishing material sheet.
ABSTRACT        A mattress having a thermal device, in which a variety of far-infrared radiation materials are arrayed in a laminated unit of the mattress to define various patterns, thus allowing a user to optimally absorb the far-infrared radiation while resting.  The mattress includes an electric power supply unit, the laminated unit, and a support unit.  The laminated unit comprises a thermal plate to generate heat by electricity supplied from the electric power supply unit, a far-infrared unit housing placed on the thermal plate with a variety of far-infrared radiation materials of a powdered-phase or a solid-phase arrayed in the far-infrared unit housing to form various patterns, and a finishing material sheet placed on the far-infrared unit housing.  The support unit supports the laminated unit while integrating the thermal plate, the far-infrared unit housing and the finishing material sheet into a single body. The laminated unit integrated by the support unit is seated into a seating depression of a mattress body having a temperature control unit.
REPRESENTATIVE DRAWING  Fig.1
2004321811.tif 000015
2004321811.tif 000016
2004321811.tif 000017
2004321811.tif 000018
2004321811.tif 000019
2004321811.tif 000020
2004321811.tif 000021
2004321811.tif 000022